(57)【特許請求の範囲】
【請求項１】
広告主の広告情報登録画面を介して、広告主用コンピュータから受信した、広告を出稿しようとする広告主の広告情報をデータベースに登録する広告情報登録手段と、
前記広告情報登録手段により広告情報が新たに登録されたときに、新たに登録された広告を出稿しようとする広告主の新たに登録された広告情報からキーワードを抽出し、抽出したキーワードを含む広告情報をデータベースから検索する関連広告情報検索手段と、
前記広告情報登録手段により新たに登録された広告を出稿しようとする広告主の広告情報と、前記関連広告情報検索手段により検索された広告情報とを互いに対応付けて広告主用コンピュータに送信して、新たに登録された広告情報と、検索された広告情報とを、前記広告情報登録画面に表示させる広告情報送信手段と
を有する広告仲介コンピュータ。
【請求項２】
広告主用コンピュータが通信ネットワークを介して広告仲介コンピュータに接続されている広告仲介システムであって、
前記広告主用コンピュータは、
前記広告仲介コンピュータに通信ネットワークを介して広告情報を送信する送信手段と、
前記広告仲介コンピュータから通信ネットワークを介して広告情報を受信する受信手段と、
前記受信手段により受信した広告情報を表示する表示手段と
を有し、
前記広告仲介コンピュータは、
前記広告主用コンピュータから受信した広告を出稿しようとする広告主の広告情報をデータベースに登録する広告情報登録手段と、
前記広告情報登録手段により登録された広告を出稿しようとする広告主の広告情報に関連する広告情報をデータベースから検索する関連広告情報検索手段と、
前記広告情報登録手段により登録された広告を出稿しようとする広告主の広告情報と、前記関連広告情報検索手段により検索された広告情報とを対応付けて広告主用コンピュータに送信する広告情報送信手段とを有する
広告仲介システム。
【請求項３】
広告主用コンピュータから受信した広告を出稿しようとする広告主の広告情報をデータベースに登録する広告情報登録機能と、
前記広告情報登録機能により登録された広告を出稿しようとする広告主の広告情報からキーワードを抽出し、抽出したキーワードを含む広告情報をデータベースから検索する  関連広告情報検索機能と、
前記広告情報登録機能により登録された広告を出稿しようとする広告主の広告情報と、前記関連広告情報検索機能により検索された広告情報とを対応付けて広告主用コンピュータに送信する広告情報送信機能と
をコンピュータに実現させるプログラム。
【請求項４】
広告主用コンピュータが、設定画面を介して受信した広告を出稿しようとする広告主の広告情報をデータベースに登録する広告情報登録ステップと、
コンピュータが、前記広告情報登録ステップにより登録された広告を出稿しようとする広告主の広告情報からキーワードを抽出し、抽出したキーワードを含む広告情報をデータベースから検索する関連広告情報検索ステップと、
コンピュータが、前記広告情報登録ステップにより登録された広告を出稿しようとする広告主の広告情報と、前記関連広告情報検索ステップにより検索された広告情報とを対応付けて広告主用コンピュータの前記設定画面に表示させるステップと
を有する広告仲介方法。
【発明の詳細な説明】
【技術分野】
【０００１】
本発明は、広告仲介システムに関するものである。
【背景技術】
【０００２】
例えば、特許文献１には、インターネット接続サービスを提供するかわりに、接続設定時に広告などを含む所定のウェブページを通信端末のブラウザに表示させる端末接続サービスシステムが開示されている。
【先行技術文献】
【特許文献】
【０００３】
【特許文献１】特開２００３−３１６９０９号公報
【発明の概要】
【発明が解決しようとする課題】
【０００４】
広告主に有用な情報を提供する広告仲介システムを提供する。
【課題を解決するための手段】
【０００５】
上記課題を解決するために、本発明に係る広告仲介コンピュータは、コンピュータから受信した広告情報をデータベースに登録する広告情報登録手段と、前記広告情報登録手段により登録された広告情報に関連する広告情報をデータベースから検索する関連広告情報検索手段と、前記広告情報登録手段により登録された広告情報と、前記関連広告情報検索手段により検索された広告情報とを互いに対応付けてコンピュータに送信する広告情報送信手段とを有する。
【０００６】
好適には、前記関連広告情報検索手段は、前記広告情報登録手段により登録された広告情報からキーワードを抽出し、抽出したキーワードを含む広告情報をデータベースから検索する。
【０００７】
好適には、前記広告情報登録手段は、広告に関する設定画面を介して、広告の設定情報を含む広告情報を受信し、受信した広告情報をデータベースに登録し、前記広告情報送信手段は、前記設定画面に、前記関連広告情報検索手段により検索された広告情報を表示させる。
【０００８】
また、本発明に係る広告仲介システムは、広告主用コンピュータが通信ネットワークを介して広告仲介コンピュータに接続されている広告仲介システムであって、前記広告主用コンピュータは、前記広告仲介コンピュータに通信ネットワークを介して広告情報を送信する送信手段と、前記広告仲介コンピュータから通信ネットワークを介して広告情報を受信する受信手段と、前記受信手段により受信した広告情報を表示する表示手段とを有し、前記広告仲介コンピュータは、前記広告主用コンピュータから受信した広告情報をデータベースに登録する広告情報登録手段と、前記広告情報登録手段により登録された広告情報に関連する広告情報をデータベースから検索する関連広告情報検索手段と、前記広告情報登録手段により登録された広告情報と、前記関連広告情報検索手段により検索された広告情報とを対応付けて広告主用コンピュータに送信する広告情報送信手段とを有する。
【０００９】
また、本発明に係るプログラムは、コンピュータから受信した広告情報をデータベースに登録する広告情報登録機能と、前記広告情報登録機能により登録された広告情報に関連する広告情報をデータベースから検索する関連広告情報検索機能と、前記広告情報登録機能により登録された広告情報と、前記関連広告情報検索機能により検索された広告情報とを対応付けてコンピュータに送信する広告情報送信機能とをコンピュータに実現させる。
【００１０】
また、本発明に係る広告仲介方法は、コンピュータが、設定画面を介して受信した広告情報をデータベースに登録する広告情報登録ステップと、コンピュータが、前記広告情報登録ステップにより登録された広告情報に関連する広告情報をデータベースから検索する関連広告情報検索ステップと、コンピュータが、前記広告情報登録ステップにより登録された広告情報と、前記関連広告情報検索ステップにより検索された広告情報とを対応付けて前記設定画面に表示させるステップとを有する。
【発明の効果】
【００１１】
本発明によれば、広告主に有用な情報を提供することができる。
【図面の簡単な説明】
【００１２】
【図１】広告仲介システム１の全体構成を例示する図である。
【図２】広告仲介プログラム１００の機能構成を例示する図である。
【図３】登録広告情報ＤＢ１１６を例示する図である。
【図４】広告仲介システム１における画面遷移を例示する図である。
【図５】広告情報登録処理Ｓ１０を例示するフローチャートである。
【図６】変形例１における広告情報登録の画面遷移を例示する図である。
【図７】変形例２における広告仲介プログラム２００の機能構成を例示する図である。
【発明を実施するための形態】
【実施例１】
【００１３】
図１は、広告仲介システム１の全体構成を例示する図である。
図１に例示するように、広告仲介システム１は、広告仲介コンピュータ１０と、広告主用コンピュータ２０とを含む。広告主用コンピュータ２０は、通信ネットワークを介して広告仲介コンピュータ１０に接続している。また、本実施例では、関連広告主用コンピュータ３０及び閲覧者用コンピュータ４０が通信ネットワークを介して広告仲介コンピュータ１０に接続している。なお、通信ネットワークは、インターネットなどの広域ネットワークであることが望ましいが、ＬＡＮなどの狭域ネットワークであってもよい。また、本図における通信ネットワークでは、ルータなどの通信機器を省略している。
【００１４】
広告仲介コンピュータ１０は、ＣＰＵ及び記憶媒体などを搭載し、ＯＳ（Operating System)をインストールされている。ＯＳは、特に限定するものではなく、ＣＰＵ及び記憶媒体などのハードウェア資源を制御し、プログラムを実行するものであればよい（以下、ＯＳについて同じ）。本実施例では、広告仲介コンピュータ１０は、広告仲介プログラム１００（図２を用いて後述）をインストールされ、ＯＳを介して広告仲介プログラム１００を実行する。これにより、広告仲介コンピュータ１０は、広告主コンピュータ２０により登録された広告情報（図３を用いて後述）に含まれる広告テキスト及び広告画像（以下、「広告コンテンツ」という。）を閲覧者用コンピュータ４０から閲覧できるようにする。また、広告仲介コンピュータ１０は、関連広告主用コンピュータ３０により登録された広告コンテンツを、広告主用コンピュータ２０により登録された広告コンテンツに対応付けて、広告主用コンピュータ２０から閲覧できるようにする。
【００１５】
広告主用コンピュータ２０は、ＣＰＵ及び記憶媒体などを搭載し、ＯＳをインストールされている。本実施例では、広告主用コンピュータ２０は、ブラウザをインストールされ、ＯＳを介してブラウザを実行する。なお、ブラウザは、特に限定するものではなく、テキスト及び画像などの情報を通信する機能を実現するプログラムであればよい（以下、ブラウザについて同じ）。これにより、広告主用コンピュータ２０の使用者（以下、「広告主」という。）は、広告主用コンピュータ２０のブラウザを介して、広告仲介コンピュータ１０に接続し、閲覧者に閲覧してもらう広告コンテンツを含む広告情報を広告仲介コンピュータ１０に登録する。また、広告主は、広告主用コンピュータ２０のブラウザを介して、広告情報を広告仲介コンピュータ１０に登録する際、登録した広告情報に含まれる広告コンテンツに対応付けられた広告コンテンツを閲覧することができる。
【００１６】
関連広告主用コンピュータ３０は、広告主用コンピュータ２０と実質的に同一である。本実施例では、関連広告主用コンピュータ３０の使用者（以下、「関連広告主」という。）は、広告主用コンピュータ２０を使用する広告主に閲覧してもらう広告コンテンツを含む広告情報を、関連広告主用コンピュータ３０のブラウザを介して、広告仲介コンピュータ１０に登録する。なお、本実施例では、便宜上、広告主に対して広告を出す広告主のことを、関連広告主という。従って、広告主と関連広告主とは、同一人物であってもよい。また、広告主用コンピュータ２０と関連広告主用コンピュータ３０とは、同一物であってもよい。
【００１７】
閲覧者用コンピュータ４０は、ＣＰＵ及び記憶媒体などを搭載し、ＯＳをインストールされている。本実施例では、閲覧者用コンピュータ４０は、ブラウザをインストールされ、ＯＳを介してブラウザを実行する。これにより、閲覧者は、閲覧者用コンピュータ４０のブラウザを介して、広告仲介コンピュータ１０に接続し、広告主用コンピュータ２０により登録された広告情報に含まれる広告コンテンツを閲覧することができる。
【００１８】
以上のような構成により、広告仲介システム１は、閲覧者に広告主により登録された広告情報に含まれる広告コンテンツを閲覧させるだけでなく、広告主にも関連広告主により登録された広告情報に含まれる広告コンテンツを閲覧させる。
【００１９】
図２は、広告仲介プログラム１００の機能構成を例示する図である。
図２に例示するように、広告仲介プログラム１００は、通信部１０２と、画面情報生成部１０４と、広告主情報登録部１０６と、認証部１１０と、広告情報登録部１１２と、データ形式変換部１１４と、広告情報検索部１１８と、関連広告情報検索部１２０と、広告情報取得部１２２とを有する。また、広告仲介プログラム１００は、広告主情報データベース（広告主情報ＤＢ）１０８と、登録広告情報データベース（登録広告情報ＤＢ）１１６とに対してデータを読み書きする。なお、上記の広告情報登録手段は、広告情報登録部１１２に相当する。上記の関連広告情報検索手段は、関連広告情報検索部１２０に相当する。上記の広告情報送信手段は、画面情報生成部１０４及び通信部１０２に相当する。また、広告仲介プログラム１００は、広告仲介コンピュータ１０のハードウェア資源（ＣＰＵ及び記憶媒体など）を利用して実行される。
【００２０】
通信部１０２は、広告仲介コンピュータ１０と、広告主用コンピュータ２０、関連広告主用コンピュータ３０、及び閲覧者用コンピュータ４０との間の通信ネットワークを介した通信を実現する。本実施例では、通信部１０２は、ＯＳを介したパケットの送受信により、画像情報生成部１０４と、広告主用コンピュータ２０、関連広告主用コンピュータ３０、及び閲覧者用コンピュータ４０のブラウザとの間の通信ネットワークを介した通信を実現する。
【００２１】
画像情報生成部１０４は、広告主用コンピュータ２０、関連広告主用コンピュータ３０、又は閲覧者用コンピュータ４０からの接続要求に応じて画面情報を生成する。画面情報は、テキスト又は画像などをコンピュータにおいてどのように表示するかを表し、例えば、ＨＴＭＬなどの形式で表す。そして、画像情報生成部１０４は、生成した画面情報を、接続要求した広告主用コンピュータ２０、関連広告主用コンピュータ３０、又は閲覧者用コンピュータ４０に送信する。本実施例では、画像情報生成部１０４は、通信部１０２を介して、広告主用コンピュータ２０、関連広告主用コンピュータ３０、又は閲覧者用コンピュータ４０のブラウザからの接続要求を受信し、接続要求に応じて画面情報を生成する。また、画像情報生成部１０４は、生成する画面情報に応じて、広告主情報登録部１０６、認証部１１０、広告情報登録部１１２、広告情報検索部１１８、関連広告情報検索部１２０、又は広告情報取得部１２２に指示を出す。そして、画像情報生成部１０４は、生成した画面情報を、通信部１０２を介して、接続要求した広告主用コンピュータ２０、関連広告主用コンピュータ３０、又は閲覧者用コンピュータ４０のブラウザに送信する。
【００２２】
広告主情報登録部１０６は、広告主又は関連広告主に関する情報をデータベースに登録する。本実施例では、広告主情報登録部１０６は、画像情報生成部１０４が接続要求において受信した広告主又は関連広告主に関する情報を、画像情報生成部１０４の指示により、記憶媒体に格納されている広告主情報ＤＢ１０８に登録する。なお、広告主又は関連広告主に関する情報は、広告主又は関連広告主を一意に特定する情報であればよく、特に限定するものではない。本実施例では、広告主又は関連広告主に関する情報は、広告主ＩＤ（広告主又は関連広告主を一意に識別するＩＤ）に、パスワードを対応付けたものである。
【００２３】
認証部１１０は、広告主又は関連広告主を認証する。本実施例では、認証部１１０は、画像情報生成部１０４が接続要求において受信した広告主又は関連広告主の認証情報（広告主ＩＤ及びパスワード）と、広告主情報ＤＢ１０８とに基づいて認証し、認証された場合は、接続要求した広告主用コンピュータ２０又は関連広告主用コンピュータ３０による接続を許可する。そして、認証部１１０は、接続を許可した広告主用コンピュータ２０又は関連広告主用コンピュータ３０とのセッションを管理する。認証部１１０は、セッションの管理において、認証情報に含まれる広告主ＩＤをセッションに対応付けて保有する。
【００２４】
広告情報登録部１１２は、広告主用コンピュータ２０又は関連広告主用コンピュータ３０から受信した広告情報をデータベースに登録する。本実施例では、広告情報登録部１１２は、画像情報生成部１０４が接続要求において受信した広告主又は関連広告主の広告情報を、画像情報生成部１０４の指示により、広告主ＩＤに対応付けて、記憶媒体に格納されている登録広告情報ＤＢ１１６に登録する。なお、広告主ＩＤは、認証部１１０により、セッションに対応付けて保有されている。また、広告情報登録部１１２は、広告情報を登録広告情報ＤＢ１１６に登録するとき、広告情報に含まれる広告コンテンツをデータ形式変換部１１４により所定の形式に変換させ、所定の形式に変換された広告コンテンツ（以下、「変換広告データ」という。）を記憶媒体における所定のパスに格納する。そして、広告情報登録部１１２は、変換広告データが格納された所定のパスを、広告主ＩＤに対応付けて登録広告情報ＤＢ１１６に登録する。
【００２５】
データ形式変換部１１４は、広告コンテンツを所定の形式に変換する。本実施例では、データ形式変換部１１４は、広告情報登録部１１２の指示により、広告情報登録部１１２が登録広告情報ＤＢ１１６に登録する広告情報に含まれる広告コンテンツを、所定の形式に変換する。なお、データ形式変換部１２０が変換する形式は、例えば、ＨＴＭＬなどである。
【００２６】
広告情報検索部１１８は、広告情報が登録されているデータベースから所定の条件に合致する広告情報を検索する。本実施例では、広告情報検索部１１８は、画像情報生成部１０４の指示により、画像情報生成部１０４が接続要求において受信した分類、広告内容物、又はキーワードなどを含む広告情報を登録広告情報ＤＢ１１６から検索する。
【００２７】
関連広告情報検索部１２０は、広告情報が登録されているデータベースから、広告情報登録部１１２により登録された広告情報に関連する広告情報を検索する。本実施例では、関連広告情報検索部１２０は、画像情報生成部１０４の指示により、広告情報登録部１１２により登録された広告情報に含まれる広告コンテンツからキーワードを抽出する。そして、関連広告情報検索部１２０は、抽出したキーワード又は広告情報登録部１１２により登録された広告情報に含まれる「分類」若しくは「広告内容物」を含む広告情報を登録広告情報ＤＢ１１６から検索する。 
【００２８】
広告情報取得部１２２は、記憶媒体の所定のパスに格納されている広告コンテンツを取得する。本実施例では、広告情報取得部１２２は、画像情報生成部１０４の指示により、所定のパスに格納されている変換広告データを記憶媒体から取得する。
【００２９】
図３は、登録広告情報ＤＢ１１６を例示する図である。
図３に例示するように、登録広告情報ＤＢ１１６は、広告主ＩＤに、分類、広告内容物、広告コンテンツ（広告テキスト（リンクを含む）及び広告画像）、及び格納パスを対応付けた情報（広告情報）を格納する。
【００３０】
広告主ＩＤは、広告主を一意に識別する情報である。例えば、広告主ＩＤは、文字、数字、及び記号などの組み合わせによって表現される。本実施例では、広告主ＩＤは、０００１、０００２、及び０００３のように数字の連番で表現される。
【００３１】
分類は、広告コンテンツの内容が属するグループの名前である。例えば、分類は、業種、分野、又はジャンルなどの名前である。本実施例では、分類は、広告コンテンツの内容が属するジャンルを表し、「中古車販売」の広告コンテンツに対しては「自動車」、「旅行案内」の広告コンテンツに対しては「旅行」、及び「洋食」の広告コンテンツに対しては「グルメ」のように対応付けられている。
広告内容物は、広告コンテンツの内容に含まれる物又はサービスの名前である。本実施例では、広告内容物は、中古車販売、旅行案内、又は洋食などである。
【００３２】
広告テキストは、広告に含まれるテキストである。例えば、広告テキストは、広告に対する宣伝、説明、又は紹介などである。また、広告テキストは、他のホームページにリンクするための情報を含んでもよい。
【００３３】
広告画像は、広告に含まれる画像の名前である。例えば、広告画像は、広告される物の画像、説明図の画像、又は広告主又は関連広告主を表す画像などの名前である。本実施例では、広告画像は、広告に含まれる画像のファイル名である。なお、広告画像は、複数設定されてもよい。
【００３４】
格納パスは、広告コンテンツが所定の形式に変換されて格納されている記憶媒体における所在を表す文字列である。
【００３５】
図４は、広告仲介システム１における画面遷移を例示する図である。
図４に例示するように、広告仲介システム１における広告仲介コンピュータ１０に接続した広告主用コンピュータ２０、関連広告主用コンピュータ３０、及び閲覧者用コンピュータ４０のブラウザに表示される画面には、トップ画面Ｄ１、検索画面Ｄ１０、広告一覧画面Ｄ１２、広告情報画面Ｄ１４、広告主登録画面Ｄ２０、登録確認画面Ｄ２２、認証画面Ｄ３０、広告情報登録画面Ｄ３２、及び登録確認画面Ｄ３４がある。広告仲介プログラム１００における画面情報生成部１０４は、これら各画面の画面情報を生成する。
【００３６】
トップ画面Ｄ１は、検索画面Ｄ１０、広告主登録画面Ｄ２０、及び認証画面Ｄ３０に遷移するメニューを含む。画像情報生成部１０４は、選択されたメニューの項目に対応する検索画面Ｄ１０、広告主登録画面Ｄ２０、又は認証画面Ｄ３０の画面情報を生成する。
【００３７】
検索画面Ｄ１０は、広告情報の分類の一覧、及び検索キーワードを入力するフォームを含む。検索画面Ｄ１０において、閲覧者により広告情報の分類を選択されると、画像情報生成部１０４は、広告情報検索部１１８に、選択された分類の情報を渡し、渡した分類の情報を含む広告情報を登録広告情報ＤＢ１１６から検索させる。また、検索画面Ｄ１０において、閲覧者により検索キーワードを入力され、検索を実行されると、画像情報生成部１０４は、広告情報検索部１１８に、入力された検索キーワードの情報を渡し、渡した検索キーワードの情報を含む広告情報を登録広告情報ＤＢ１１６から検索させる。そして、画像情報生成部１０４は、広告情報検索部１１８により検索された広告情報に含まれる変換広告データの格納パスをリンクに埋め込んだ広告一覧画面Ｄ１２の画面情報を生成する。広告一覧画面Ｄ１２において、閲覧者により広告のリンクを選択されると、画像情報生成部１０４は、選択された広告のリンクに対応する変換広告データを広告情報取得部１２２に取得させ、取得された変換広告データを含む広告情報画面Ｄ１４の画面情報を生成する。
【００３８】
広告主登録画面Ｄ２０は、認証情報を入力するフォームを含む。広告主登録画面Ｄ２０において、広告主又は関連広告主により認証情報を入力され、登録を実行されると、画像情報生成部１０４は、広告主情報登録部１０６に、入力された認証情報を渡し、認証情報を広告主情報ＤＢ１０８に登録させる。そして、画像情報生成部１０４は、広告主情報登録部１０６による認証情報の登録を完了すると、登録確認画面Ｄ２２の画面情報を生成する。
【００３９】
認証画面Ｄ３０は、認証情報を入力するフォームを含む。認証画面Ｄ４０において、広告主により認証情報を入力され、認証を実行（ログイン）されると、画像情報生成部１０４は、認証部１１０に、入力された認証情報を渡し、渡した認証情報と、広告主情報ＤＢ１０８とに基づいて認証させる。画像情報生成部１０４は、認証部１１０により広告主を認証され、広告主の接続を許可された場合は、広告情報登録画面Ｄ４２の情報を生成する。このとき、画像情報生成部１０４は、認証画面Ｄ３０で入力された広告主ＩＤに対応する広告情報を、広告情報登録部１１２に登録広告情報ＤＢ１１６から取得させる。そして、画像情報生成部１０４は、取得した広告情報に関連する広告情報を関連広告情報検索部１２０に登録広告情報ＤＢ１１６から検索させる。そして、画像情報生成部１０４は、広告情報登録部１１２により取得された広告情報及び関連広告情報検索部１２０により検索された広告情報（以下、「関連広告情報」という。）を含む広告情報登録画面Ｄ３２（広告情報は入力フォームの形式で表示される。）の画面情報を生成する。広告情報登録画面Ｄ３２において、広告主により広告情報を入力され、登録を実行されると、画像情報生成部１０４は、広告情報登録部１１２に入力された広告情報を渡し、広告情報を登録広告情報ＤＢ１１６に登録させる。このとき、画像情報生成部１０４は、広告情報登録部１１２により登録される広告情報に関連する広告情報を関連広告情報検索部１２０に登録広告情報ＤＢ１１６から検索させる。そして、画像情報生成部１０４は、広告情報登録部１１２による広告情報の登録を完了すると、関連広告情報を含む登録確認画面Ｄ３４の画面情報を生成する。なお、関連広告主も、上記と同様に、認証画面Ｄ３０、広告情報登録画面Ｄ３２、及び登録確認画面Ｄ３４において広告情報を登録する。
【００４０】
以上説明したように、広告主は、広告情報登録画面Ｄ３２又は登録確認画面Ｄ３４において、これから登録しようとする又は登録した広告情報に関連する広告情報（関連広告情報）を閲覧することができる。本実施例では、画像情報生成部１０４は、関連広告情報に対応する格納パスを埋め込んだリンクの一覧を有する広告情報登録画面Ｄ３２又は登録確認画面Ｄ３４の画面情報を生成する。広告情報登録画面Ｄ３２又は登録確認画面Ｄ３４において、広告主により関連広告情報のリンクを選択されると、画像情報生成部１０４は、選択された関連広告情報のリンクに対応する変換広告データを広告情報取得部１２２に取得させ、取得された変換広告データを含む画面情報を生成する。
【００４１】
図５は、広告情報登録処理Ｓ１０を例示するフローチャートである。
図５に例示するように、ステップ１００（Ｓ１００）において、画像情報生成部１０４は、広告主用コンピュータ２０のブラウザにより認証画面Ｄ３０へ接続されたか否か（接続要求が来たか否か）を判定する。広告仲介プログラム１００は、認証画面Ｄ３０へ接続された場合は、Ｓ１０２に移行し、認証画面Ｄ３０へ接続されていない場合は、Ｓ１００に移行する。
【００４２】
ステップ１０２（Ｓ１０２）において、画像情報生成部１０４は、認証画面Ｄ３０の画面情報を生成し、生成した認証画面Ｄ３０の画面情報を広告主用コンピュータ２０のブラウザに送信する。広告主用コンピュータ２０のブラウザは、受信した認証画面Ｄ３０の画面情報を表示する。
【００４３】
ステップ１０４（Ｓ１０４）において、画像情報生成部１０４は、広告主により認証画面Ｄ３０の入力フォームに認証情報を入力され、認証を実行されたか否かを判定する。広告仲介プログラム１００は、認証を実行された場合は、Ｓ１０６に移行し、認証を実行されていない場合は、Ｓ１０４に移行する。
【００４４】
ステップ１０６（Ｓ１０６）において、画像情報生成部１０４は、認証部１１０に広告主により入力された認証情報を渡し、渡した認証情報と、広告主情報ＤＢ１０８とに基づいて認証させる。そして、画像情報生成部１０４は、認証部１１０により広告主を認証され、広告主の接続を許可された（認証ＯＫ）か否かを判定する。広告仲介プログラム１００は、認証ＯＫの場合は、Ｓ１０８に移行し、認証ＯＫでない場合は、Ｓ１０２に移行する。
【００４５】
ステップ１０８（Ｓ１０８）において、画像情報生成部１０４は、Ｓ１０４において入力された認証情報に含まれる広告主ＩＤに対応する広告情報を、広告情報登録部１１２に登録広告情報ＤＢ１１６から取得させる。
【００４６】
テップ１１０（Ｓ１１０）において、画像情報生成部１０４は、Ｓ１０８において取得した広告情報に関連する広告情報（関連広告情報）を、関連広告情報検索部１２０に登録広告情報ＤＢ１１６から検索させる。
【００４７】
ステップ１１２（Ｓ１１２）において、画像情報生成部１０４は、Ｓ１１０において検索された関連広告情報があるか否かを判定する。広告仲介プログラム１００は、関連広告情報がある場合は、Ｓ１１４に移行し、関連広告情報がない場合は、Ｓ１１６に移行する。
【００４８】
ステップ１１４（Ｓ１１４）において、画像情報生成部１０４は、Ｓ１１２で検索された関連広告情報に対応する格納パスを埋め込んだリンクの一覧を生成する。
【００４９】
ステップ１１６（Ｓ１１６）において、画像情報生成部１０４は、Ｓ１０８において取得された広告情報と、Ｓ１１４において生成したリンクの一覧とを含む広告情報登録画面Ｄ３２の画面情報を生成し、生成した広告情報登録画面Ｄ３２の画面情報を広告主用コンピュータ２０のブラウザに送信する。広告主用コンピュータ２０のブラウザは、受信した広告情報登録画面Ｄ３２の画面情報を表示する。
【００５０】
ステップ１１８（Ｓ１１８）において、画像情報生成部１０４は、広告主により広告情報登録画面Ｄ３２の入力フォームに広告情報を入力され、登録を実行されたか否かを判定する。広告仲介プログラム１００は、登録を実行された場合は、Ｓ１２０に移行し、登録を実行されていない場合は、Ｓ１１８に移行する。
【００５１】
ステップ１２０（Ｓ１２０）において、画像情報生成部１０４は、Ｓ１１８において入力された広告情報を広告情報登録部１１２に渡し、広告情報を登録広告情報ＤＢ１１６に登録させる。
【００５２】
ステップ１２２（Ｓ１２２）において、画像情報生成部１０４は、Ｓ１２０において広告情報登録部１１２により登録される広告情報に関連する広告情報（関連広告情報）を、関連広告情報検索部１２０に登録広告情報ＤＢ１１６から検索させる。
【００５３】
ステップ１２４（Ｓ１２４）において、画像情報生成部１０４は、Ｓ１２２において検索された関連広告情報があるか否かを判定する。広告仲介プログラム１００は、関連広告情報がある場合は、Ｓ１２６に移行し、関連広告情報がない場合は、Ｓ１２８に移行する。
【００５４】
ステップ１２６（Ｓ１２６）において、画像情報生成部１０４は、Ｓ１２２で検索された関連広告情報に対応する格納パスを埋め込んだリンクの一覧を生成する。
【００５５】
ステップ１２８（Ｓ１２８）において、画像情報生成部１０４は、Ｓ１２６において生成したリンクの一覧を含む登録確認画面Ｄ３４の画面情報を生成し、生成した登録確認画面Ｄ３４の画面情報を広告主用コンピュータ２０のブラウザに送信する。広告主用コンピュータ２０のブラウザは、受信した登録確認画面Ｄ３４の画面情報を表示する。
【００５６】
以上説明したように、広告仲介システム１は、広告主により広告情報を登録されるとき、広告主に対して登録される広告情報に関連する広告情報（関連広告情報）を表示することで、広告主と関連広告主との間の取引などのビジネスを創出することができる。閲覧者は、主に個人であることが多いが、広告主及び関連広告主は、主に事業者であることが多い。つまり、広告仲介システム１は、閲覧者に広告主により登録された広告情報を閲覧させることにより、事業者と個人との間(BtoC)のビジネスを創出するだけでなく、さらに広告主にも関連広告主により登録された広告情報（関連広告情報）を閲覧させることにより、企業と企業との間(BtoB)のビジネスも創出することができる。
［変形例１］
【００５７】
図６は、変形例１における広告情報登録の画面遷移を例示する図である。
図６に例示するように、図４に示した画面遷移に登録データ形式選択画面Ｄ１３６が追加されている。
【００５８】
登録データ形式選択画面Ｄ１３６は、広告情報登録画面Ｄ３２において広告主により広告情報を入力され、登録を実行された後、画面情報生成部１０４により生成される画面である。登録データ形式選択画面Ｄ１３６は、広告情報登録部１１２が格納する変換広告データの形式を広告主に選択（複数選択可）させる。変換広告データの形式は、例えば、ＨＴＭＬ、ＸＭＬ、ＢＭＬ、ＣＨＴＭＬ、ＳＨＴＭＬ、又はＤＴＰにおけるデータ形式などである。そして、登録データ形式選択画面Ｄ１３６において、広告主により変換広告データの形式を選択され、登録を実行されると、画面情報生成部１０４は、広告情報登録部１１２に入力された広告情報及び選択された変換広告データの形式を渡し、広告情報を登録広告情報ＤＢ１１６に登録させる。また、広告情報登録部１１２は、入力された広告情報を、選択された変換広告データの形式へ、データ形式変換部１１４に変換させる。そして、広告情報登録部１１２は、データ形式変換部１１４に変換させて得られた変換広告データを記憶媒体における所定のパスに格納する。そして、画面情報生成部１０４は、上記実施例と同様に登録確認画面Ｄ３４の画面情報を生成する。なお、関連広告主も、上記と同様に、認証画面Ｄ３０、広告情報登録画面Ｄ３２、登録データ形式選択画面Ｄ１３６、及び登録確認画面Ｄ３４において広告情報を登録する。
【００５９】
以上説明したような画面遷移により、広告主又は関連広告主は、広告コンテンツを発信したいメディアに応じて、登録したい変換広告データの形式を選択することができる。広告仲介コンピュータ１０は、広告を発信するメディアに対応する形式の変換広告データを記憶媒体に格納している場合に、対応する形式の変換広告データを広告主用コンピュータ２０又は閲覧者用コンピュータ４０に送信する。
［変形例２］
【００６０】
本変形例では、広告仲介コンピュータ１０が、広告情報画面Ｄ１４又は関連広告情報のリンクを選択した後の画面（以下、「広告画面」という。）において、外部装置と連携したサービスを提供する例について説明する。
図７は、変形例２における広告仲介プログラム２００の機能構成を例示する図である。
図７に例示するように、広告仲介プログラム２００は、図２の広告仲介プログラム１００に外部連携部２２４を追加した構成となっている。
なお、本図に示されている各構成のうち、図２に示されている各構成と実質的に同一のものには、同一の符号が付されている。以下、本図に示されている各構成のうち、図２に示されている各構成と異なるものについて説明する。
【００６１】
外部連携部２２４は、外部装置と通信により連携し、外部装置が提供する機能を広告主又は閲覧者に提供する。例えば、外部装置が銀行又はクレジットカード会社における決済サーバ（決済サービスを提供する装置）である場合、外部連携部２２４は、通信部１０２を介して決済サーバと通信を行い、決済に係るシーケンスを仲介する。より具体的には、外部連携部２２４は、決済に係る入力フォーム（振込先、金額、口座番号、認証パスワード、クレジットカードの種類、クレジットカード番号、名義人、及び有効期限などを入力するフォーム）などの画面情報を決済サーバから受信し、受信した画面情報を画面情報生成部１０４に渡す。画面情報生成部１０４は、外部連携部２２４から渡された画面情報を通信部１０２を介して広告主用コンピュータ２０又は閲覧者用コンピュータ４０に送信する。また、逆に画面情報生成部１０４は、決済に係る入力フォームなどにおいて「入力された情報」を通信部１０２を介して広告主用コンピュータ２０又は閲覧者用コンピュータ４０から受信し、受信した「入力された情報」を外部連携部２２４に渡す。そして、外部連携部２２４は、画面情報生成部１０４から渡された「入力された情報」を通信部１０２を介して決済サーバに送信する。
また、例えば、外部装置が銀行又はクレジットカード会社におけるローンシミュレータ（ローンにおける返済額の試算サービスを提供する装置）である場合、外部連携部２２４は、通信部１０２を介してローンシミュレータと通信を行い、ローンにおける返済額の試算（以下、「ローンシミュレーション」という。）に係るシーケンスを仲介する。より具体的には、外部連携部２２４は、ローンシミュレーションに係る入力フォーム（ローンの種類、借入金額、借入期間、金利タイプ、及び返済方法などを入力するフォーム）などの画面情報をローンシミュレータから受信し、受信した画面情報を画面情報生成部１０４に渡す。画面情報生成部１０４は、外部連携部２２４から渡された画面情報を通信部１０２を介して広告主用コンピュータ２０又は閲覧者用コンピュータ４０に送信する。また、逆に画面情報生成部１０４は、ローンシミュレーションに係る入力フォームなどにおいて「入力された情報」を通信部１０２を介して広告主用コンピュータ２０又は閲覧者用コンピュータ４０から受信し、受信した「入力された情報」を外部連携部２２４に渡す。そして、外部連携部２２４は、画面情報生成部１０４から渡された「入力された情報」を通信部１０２を介してローンシミュレータに送信する。
このように、外部連携部２２４は、外部装置と広告主用コンピュータ２０又は閲覧者用コンピュータ４０との間のサービスに係るシーケンスを仲介して、外部装置が提供するサービスを広告主又は閲覧者に提供する。なお、外部装置と連携するために必要な情報（外部装置への接続先など）は、広告コンテンツに含まれる。例えば、画面情報生成部１０４は、広告コンテンツに含まれている外部装置と連携するために必要な情報に従って、外部装置との連携を実行するボタンを生成し、生成したボタンを含む広告画面の画面情報を生成する。
【００６２】
以上説明したような構成により、広告仲介コンピュータ１０は、広告を仲介するだけでなく、広告に関連する機能を、外部装置と連携することにより、広告主、又は閲覧者に提供することができる。
【符号の説明】
【００６３】
１      広告仲介システム
１０    広告仲介コンピュータ
２０    広告主用コンピュータ
３０    関連広告主用コンピュータ
４０    閲覧者用コンピュータ
１００  広告仲介プログラム
１０２  通信部
１０４  画面情報生成部
１０６  広告主情報登録部
１０８  広告主情報ＤＢ
１１０  認証部
１１２  広告情報登録部
１１４  データ形式変換部
１１６  登録広告情報ＤＢ
１１８  広告情報検索部
１２０  関連広告情報検索部
１２２  広告情報取得部
２００  広告仲介プログラム（変形例２）
２２４  外部連携部
【図１】
0005433869.tif 000002
【図２】
0005433869.tif 000003
【図３】
0005433869.tif 000004
【図４】
0005433869.tif 000005
【図５】
0005433869.tif 000006
【図６】
0005433869.tif 000007
【図７】
0005433869.tif 000008